【手続補正書】
【提出日】平成19年7月6日(2007.7.6)
【手続補正１】
【補正対象書類名】明細書
【補正対象項目名】発明の名称
【補正方法】変更
【補正の内容】
【発明の名称】乗用型茶葉摘採機
【手続補正２】
【補正対象書類名】明細書
【補正対象項目名】特許請求の範囲
【補正方法】変更
【補正の内容】
【特許請求の範囲】
【請求項１】  左右の走行装置により茶樹畝を跨いでその両側の畝間を自走しながら摘採作業を行う乗用車体を備えた乗用型茶葉摘採機において、
前記乗用車体は、茶畝を跨ぐことができる間隔に立設され、かつ下部に前記走行装置が連なり、かつ上部に畝間幅方向に延設された嵌合部を備えた左右一対の門型フレームと、
前記左右一対の門型フレームの嵌合部に摺動可能に連なり、かつ前記乗用車体の幅方向中心を基準とした摘採装置が連なる連結フレームと、
前記左右一対の門型フレームと前記連結フレームとの間に介設され、前記連結フレームに対して前記左右一対の門型フレームを畝間幅方向にほぼ均等に移動させる伸縮可能な手段と、を備えていることを特徴とする乗用型茶葉摘採機。
【請求項２】  前記乗用車体は、前記走行装置が停止状態にある場合に前記伸縮可能な手段を伸縮動作させる指令操作がなされると、走行を促す警報部を備えていることを特徴とする請求項１に記載の乗用型茶葉摘採機。
【手続補正３】
【補正対象書類名】明細書
【補正対象項目名】０００８
【補正方法】変更
【補正の内容】
【０００８】
【課題を解決するための手段】
この目的を達成するため、請求項１記載の発明は、左右の走行装置により茶樹畝を跨いでその両側の畝間を自走しながら摘採作業を行う乗用車体を備えた乗用型茶葉摘採機において、
前記乗用車体は、茶畝を跨ぐことができる間隔に立設され、かつ下部に前記走行装置が連なり、かつ上部に畝間幅方向に延設された嵌合部を備えた左右一対の門型フレームと、前記左右一対の門型フレームの嵌合部に摺動可能に連なり、かつ前記乗用車体の幅方向中心を基準とした摘採装置が連なる連結フレームと、前記左右一対の門型フレームと前記連結フレームとの間に介設され、前記連結フレームに対して前記左右一対の門型フレームを畝間幅方向にほぼ均等に移動させる伸縮可能な手段と、を備えていることを特徴とする。
【手続補正４】
【補正対象書類名】明細書
【補正対象項目名】０００９
【補正方法】変更
【補正の内容】
【０００９】
請求項２記載の発明は、請求項１記載の乗用型茶葉摘採機において、前記乗用車体は、前記走行装置が停止状態にある場合に前記伸縮可能な手段を伸縮動作させる指令操作がなされると、走行を促す警報部を備えていることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
【作用】
請求項１記載の発明によれば、連結フレームに摺動可能に連なった左右一対の門型フレームが伸縮可能な手段によって畝間幅方向にほぼ均等に移動することができるようになる。これにより、畝間間隔が異なる茶園であっても同一の摘採機を乗り入れて摘採作業を行うことが可能になり、新たな設備投資や労力負担をなくすことができる。また、軌間伸縮を行っても茶畝の左右中心と乗用車体の左右中心とが一致するので、畝幅方向側部の一部で茶樹に装置の一部が触れるようなことはなく、茶樹を傷めることはない。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
請求項２記載の発明によれば、走行装置が停止状態にある場合に伸縮可能な手段を伸縮動作させる指令操作がなされると、走行装置を前進あるいは後退させるように、走行を促すようになっている。これにより、軌間伸縮を行う際に伸縮可能な手段や走行装置にかかる負荷を軽減することができる。
【手続補正１３】
【補正対象書類名】明細書
【補正対象項目名】００１８
【補正方法】削除
【補正の内容】
【手続補正１４】
【補正対象書類名】明細書
【補正対象項目名】００２１
【補正方法】変更
【補正の内容】
【００２１】
前記走行装置２は、後端に配設された駆動輪２Ａと先端に配設された従動輪２Ｂとの間に走行部材をなすゴムクローラ２Ｃが捲装されている。また、駆動輪２Ａおよび従動輪２Ｂとには、車体本体３の前後方向に延長された補強フレーム２Ｄが連結されており、補強フレーム２Ｄには、複数の転輪が枢支されると共に門型フレーム３１，３２の下部が固着されて車体本体３の荷重を走行装置２の全体で受けるようになっている。なお、走行装置２に用いられる走行部材としては、クローラに代えてタイヤやキャタピラを用いることも可能である。
【手続補正１５】
【補正対象書類名】明細書
【補正対象項目名】００２９
【補正方法】変更
【補正の内容】
【００２９】
本実施例は以上のような構成であるから、茶園に乗り入れた乗用型摘採機１は、茶園の畝間同士の間隔に応じて走行部材であるゴムクローラ２Ｃ同士の間隔を調整することができる。ゴムクローラ２Ｃ同士の間隔を畝間同士の間隔に対応させる際には、門型フレーム３１，３２と連結フレーム３３との挿嵌部に挿通されているボルト３７および荷台７側での係止部材３９と荷台７のフレーム３８との挿嵌部に挿通されているボルト４０を抜き取り、門型フレーム３１，３２および２分されている荷台７Ｃ、７Ｄが摺動できるようにする。
シリンダ３４が操作スイッチの設定により駆動されると、その駆動方向に応じて門型フレーム３１，３２がこれらの対向間隔を変更する方向に摺動し、また荷台７側では２分された部分７Ｃ、７Ｄが門型フレーム３１，３２と同じ方向に摺動する。このときには、門型フレーム３１，３２および２分された荷台部分７Ｃ、７Ｂが両方で同時に且つ同じ量を以て摺動するので、茶畝の畝幅方向中心と摘採装置４の幅方向中心とが常に一致した状態を維持することができる。
門型フレーム３１，３２および荷台７側の分割された部分７Ｃ、７Ｄがそれぞれ摺動する際には、走行装置２が停止している場合、上述した警報が行われる。
【手続補正１６】
【補正対象書類名】明細書
【補正対象項目名】００３１
【補正方法】変更
【補正の内容】
【００３１】
【発明の効果】
以上述べたように本発明によれば、連結フレームに摺動可能に連なった左右一対の門型フレームが伸縮可能な手段によって畝間幅方向にほぼ均等に移動することができるようになる。これにより、畝間間隔が異なる茶園であっても同一の摘採機を乗り入れて摘採作業を行うことが可能になり、新たな設備投資や労力負担をなくすことができる。また、軌間伸縮を行っても茶畝の左右中心と乗用車体の左右中心とが一致するので、畝幅方向側部の一部で茶樹に装置の一部が触れるようなことはなく、茶樹を傷めることはない。
また、本発明によれば、走行装置が停止状態にある場合に伸縮可能な手段を伸縮動作させる指令操作がなされると、走行装置を前進あるいは後退させるように、走行を促すようになっている。これにより、軌間伸縮を行う際に伸縮可能な手段や走行装置にかかる負荷を軽減することができる。
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】図４
【補正方法】変更
【補正の内容】
【図４】
図１に示した乗用型茶葉摘採機における車体本体と走行装置との配置構成を説明するための部分的な斜視図である。